(57)【特許請求の範囲】
【請求項１】
バグフィルタの濾布を内側から支持するリテーナ本体の上端部に取付けられるバグフィルタ用逆洗補助具であって、
前記リテーナ本体の上端部に装着され、該リテーナ本体の内部を水平に仕切る仕切部が形成された装着部と、前記仕切部の上側に前記リテーナ本体と同軸上に配置される筒状の空気導入部と、該空気導入部の下側開口部内に一部が配置され、該下側開口部の中央部を遮蔽し、該下側開口部の内側周縁との間に空気噴出口を形成する空気拡散部とを備え、前記仕切部には、前記空気拡散部の外周に沿って空気取入口が形成されていることを特徴とするバグフィルタ用逆洗補助具。
【請求項２】
請求項１記載のバグフィルタ用逆洗補助具において、前記空気拡散部は、下方に向かって拡径する半球状に形成され、頂部が前記空気導入部の下端よりも高い位置にあることを特徴とするバグフィルタ用逆洗補助具。
【請求項３】
請求項１又は２記載のバグフィルタ用逆洗補助具において、前記空気噴出口の下方には、旋回羽根が取付けられていることを特徴とするバグフィルタ用逆洗補助具。
【請求項４】
請求項１〜３のいずれか１記載のバグフィルタ用逆洗補助具において、前記空気導入部の軸方向の途中位置で該空気導入部の外径よりも大径に形成された上端開口部を有し、周壁部が下方に向かって拡径し、下部が前記空気取入口の外周に沿う円形に形成されて、前記仕切部に固定されたガイド部を備えていることを特徴とするバグフィルタ用逆洗補助具。
【請求項５】
請求項４記載のバグフィルタ用逆洗補助具において、前記仕切部には、前記ガイド部の下端部外周に沿って空気通過口が形成されていることを特徴とするバグフィルタ用逆洗補助具。
【請求項６】
請求項１〜５記載のバグフィルタ用逆洗補助具において、前記空気導入部の上部は、前記装着部の上端より上方に突出し、該空気導入部の上部には、上方に向かって拡径した上側拡径部が形成され、該空気導入部の下部には、下方に向かって拡径した下側拡径部が形成されていることを特徴とするバグフィルタ用逆洗補助具。
【請求項７】
請求項１〜６のいずれか１記載のバグフィルタ用逆洗補助具において、前記装着部は、前記仕切部の外周を囲繞し、前記リテーナ本体に内挿される筒状部と、該筒状部の上端外周側に延設されたフランジ部とを備えていることを特徴とするバグフィルタ用逆洗補助具。
【請求項８】
バグフィルタの濾布を内側から支持するリテーナ本体と、該リテーナ本体の上端部に取付けられた請求項１〜７のいずれか１記載のバグフィルタ用逆洗補助具とを有することを特徴とするバグフィルタ用リテーナ。
【発明の詳細な説明】
【技術分野】
【０００１】
本発明は、バグフィルタの濾布に付着した粉塵の払い落としに効果的なバグフィルタ用逆洗補助具及びバグフィルタ用リテーナに関する。
【背景技術】
【０００２】
従来、集塵機として、含塵気流を通過させて粉塵を分離捕集する円筒状の濾布と、濾布を内側から支持して濾布の形状を維持するための支持枠（以下、リテーナ本体という。）とを備えたもの（バグフィルタ）が用いられている。集塵機を運転して粉塵を捕集すると、濾布の外表面に粉塵が付着し、運転時間の経過とともに吸引力が低下するため、捕集した（濾布の外表面に付着した）粉塵を間欠的に又は連続的に払い落とす必要がある。この濾布から粉塵を払い落とす機能を備えたものとして、例えば、特許文献１等に記載されているように、リテーナ本体の上端側にベンチュリ管を備え、パルスジェット（圧縮空気）をベンチュリ管に向かって噴射することにより濾布の逆洗を行うパルスジェット形の集塵機が知られている。これは、濾布の内側に圧縮空気を噴射することにより、濾布を半径方向外側に膨らませて、粉塵の払い落としを行う（濾布の逆洗を行う）ものである。
しかし、通常、ベンチュリ管の上端外周には、ベンチュリ管と一体にフランジ（上板）が形成されており、リテーナ本体の上端側は、中央部のベンチュリ管を除いて閉塞されている。従って、高速のパルスジェットがベンチュリ管を通過することにより、ベンチュリ効果でリテーナ本体内部の上端側（ベンチュリ管の外周）では圧力が低下するため、濾布がリテーナ本体の外周に強く引きつけられて吸引状態となり、濾布の上端側での粉塵の払い落としができず、濾過面積が減少して集塵効率が低下するという問題があった。また、負圧で濾布がリテーナ本体に強く引きつけられて擦られることにより、濾布の破損が発生し、濾布の寿命が低下するという問題もあった。
【０００３】
これに対し、パルスジェットの圧力を高くした場合、ベンチュリ管を取外した場合、及びベンチュリ管をリテーナ本体の外部（上方）に突出させて取付けた場合は、リテーナ本体内部の上端側で負圧がさらに増大して濾布が破損し易くなるため、パルスジェットの圧力を低く抑えて使用することも行われており、その結果、パルスジェットがリテーナ本体の下端まで行き渡らず、濾布の上下両端側で粉塵の払い落としができなくなるという問題も発生していた。
そこで、例えば特許文献２には、バグフィルタの中央に内挿される中央部材の上端を陵角６０度以上の略円錐形に形成したパルスジェット式集塵機が開示されている。
また、特許文献３には、周壁部の円周上に形成された複数の開口部と、開口部の下端部で周壁部の内周側に配設された案内部とを備えたベンチュリ管を、リテーナ本体の上端側の中心部に内挿したバグフィルタ用リテーナが開示されている。
さらに、特許文献４には、リテーナ及びベンチュリ管が仕切板の開口部から吊り下げられ、ベンチュリ管の上端側の周囲に空隙が形成されたバグフィルタ装置のベンチュリ管取付構造が開示されている。
【先行技術文献】
【特許文献】
【０００４】
【特許文献１】特開平１０−２１１４１０号公報
【特許文献２】特開２０１０−２６００２０号公報
【特許文献３】特開２００８−４９３０２号公報
【特許文献４】実開平６−６４７０８号公報
【発明の概要】
【発明が解決しようとする課題】
【０００５】
特許文献２は、濾布の逆洗時にバグフィルタ用リテーナの上部に配設されたノズルから圧縮空気を噴射した際に、その圧縮空気を中央部材の上端に形成された円錐形の外周面（傾斜面）により、リテーナ本体の半径方向（外周方向）に分散（拡散）させ、濾布表面に脈動を生成して、濾布上端側での粉塵の払い落としの実効性を改善しようとするものである。このとき、濾布の外周に付着した粉塵全体を確実に払い落とすためには、濾布を全周にわたって略均一に膨張させなければならない。そして、そのためには、ノズルの中心と中央部材の中心（軸心）を正確に位置合わせして、圧縮空気を中央部材の軸心方向に正確に噴射し、円錐形の外周面全体で均等に反射させる必要がある。しかしながら、この位置合わせは極めて困難であり、ノズルと中央部材との位置ずれ（芯ずれ）又はノズルの傾きにより圧縮空気の流れに偏りが生じて、濾布の一部（特定の範囲）が大きく外方に膨らみ、その反対側（円周方向に１８０度ずれた位置）では濾布が強くリテーナ本体に引き付けられることになる。従って、濾布の全周にわたって満遍なく粉塵の払い落としを行うことができず、濾布の一部がリテーナ本体との摩擦によって破損し易く、組立作業性及び動作の安定性に欠けるという課題があった。また、ノズルから噴射される圧縮空気を中央部材の円錐形の外周面で反射させて濾布を膨らませるためには、反射後の圧縮空気の速度を所定の範囲に保つ必要があり、ノズルから中央部材の上端までの距離が制限され、汎用性に欠けるという課題もあった。さらに、濾布の下端側での粉塵の払い落とし効果の改善については十分に検討されていないという課題があった。
【０００６】
特許文献３は、濾布の逆洗時にバグフィルタ用リテーナの上部に配設されたノズルから噴射される圧縮空気の一部をベンチュリ管の周壁部に形成した開口部から噴出させることにより、リテーナ本体の上端側での負圧を低減し、濾布の上端側から下端側までを全体的に外方に膨らませて、濾布の全長にわたって付着した粉塵の払い落としを行おうとするものである。このとき、濾布の外周に付着した粉塵全体を確実に払い落とすためには、濾布を全周にわたって略均一に膨張させなければならない。そして、そのためには、圧縮空気を複数の開口部から、均等に放射状に噴出する必要があり、各開口部の下端部の内側には案内部が設けられている。これは、ベンチュリ管の周壁部が円筒状であり、周壁部に開口部を形成するだけでは、ベンチュリ管の内部を通過する圧縮空気を開口部から外周方向に向かって確実に噴出させることができないためである。しかし、案内部は周壁部の内周側に突出して設けられるので、案内部同士が干渉しないようにする必要があり、案内部の数、大きさ及び配置につき、制約を受け易い。その結果、開口部の数及び面積を十分に確保することができず、ベンチュリ管の外周への圧縮空気の噴出量が不足して、濾布の上端側で粉塵の払い落としが効果的に行われないという課題があった。また、案内部の数（面積）が増え過ぎると、ベンチュリ管の内部を通過する圧縮空気の量が減少し、圧縮空気がリテーナ本体の下端側まで届き難くなり、濾布の下端側で十分に粉塵を払い落とすことができないという課題があった。さらに、特許文献３では、ベンチュリ管の周壁部の上端外周に設けられたフランジ部に開口部を形成することにより、流路断面積を拡大して集塵時（吸引による濾過作業時）のブロアの負荷を低減し、逆洗時（パルスジェット噴射後）のリテーナ本体内部での負圧の発生を抑えようとしているが、逆洗時にフランジ部の開口部からリテーナ本体内に吸い込まれる空気を、積極的に粉塵の払い落としに利用するものではなく、粉塵の払い落としには十分な効果が得られなかった。
また、特許文献４でも、ベンチュリ管の上端側の周囲に空隙を形成して通路を拡大することにより、圧力損失を減らして濾過作業時のブロア（誘引通風機）の負担を軽減し、逆洗時の通気抵抗を減少させて粉塵の払い落とし効果を向上させようとしているが、逆洗時に、ベンチュリ管（リテーナ本体内部）を通過する空気をリテーナ本体の径方向に拡散させる手段や、リテーナ本体内部に取り込まれる空気を増量、増速させて、粉塵の払い落としに積極的かつ効率的に利用するための構造については検討されておらず、粉塵の払い落とし効果の向上には不十分であった。
【０００７】
本発明は、かかる事情に鑑みてなされたもので、濾布の逆洗時に濾布を全長にわたって確実かつ均等に膨らませて粉塵の払い落とし効果を高め、濾布の破損を低減して、集塵効率及び濾布の寿命を改善し、省エネルギー化及び省資源化を図ることができるバグフィルタ用逆洗補助具及びバグフィルタ用リテーナを提供することを目的とする。
【課題を解決するための手段】
【０００８】
前記目的に沿う第１の発明に係るバグフィルタ用逆洗補助具は、バグフィルタの濾布を内側から支持するリテーナ本体の上端部に取付けられるバグフィルタ用逆洗補助具であって、
前記リテーナ本体の上端部に装着され、該リテーナ本体の内部を水平に仕切る仕切部が形成された装着部と、前記仕切部の上側に前記リテーナ本体と同軸上に配置される筒状の空気導入部と、該空気導入部の下側開口部内に一部が配置され、該下側開口部の中央部を遮蔽し、該下側開口部の内側周縁との間に空気噴出口を形成する空気拡散部とを備え、前記仕切部には、前記空気拡散部の外周に沿って空気取入口が形成されている。
【０００９】
第１の発明に係るバグフィルタ用逆洗補助具において、前記空気拡散部は、下方に向かって拡径する半球状に形成され、頂部が前記空気導入部の下端よりも高い位置にあることが好ましい。
【００１０】
第１の発明に係るバグフィルタ用逆洗補助具において、前記空気噴出口の下方には、旋回羽根が取付けられていることが好ましい。
【００１１】
第１の発明に係るバグフィルタ用逆洗補助具において、前記空気導入部の軸方向の途中位置で該空気導入部の外径よりも大径に形成された上端開口部を有し、周壁部が下方に向かって拡径し、下部が前記空気取入口の外周に沿う円形に形成されて、前記仕切部に固定されたガイド部を備えていることが好ましい。
【００１２】
第１の発明に係るバグフィルタ用逆洗補助具において、前記仕切部には、前記ガイド部の下端部外周に沿って空気通過口が形成されていることが更に好ましい。
【００１３】
第１の発明に係るバグフィルタ用逆洗補助具において、前記空気導入部の上部は、前記装着部の上端より上方に突出し、該空気導入部の上部には、上方に向かって拡径した上側拡径部が形成され、該空気導入部の下部には、下方に向かって拡径した下側拡径部が形成されていることが更に好ましい。
【００１４】
第１の発明に係るバグフィルタ用逆洗補助具において、前記装着部は、前記仕切部の外周を囲繞し、前記リテーナ本体に内挿される筒状部と、該筒状部の上端外周側に延設されたフランジ部とを備えていることが好ましい。
【００１５】
前記目的に沿う第２の発明に係るバグフィルタ用リテーナは、バグフィルタの濾布を内側から支持するリテーナ本体と、該リテーナ本体の上端部に取付けられた第１の発明に係るバグフィルタ用逆洗補助具とを有する。
【発明の効果】
【００１６】
第１の発明に係るバグフィルタ用逆洗補助具をリテーナ本体の上端部に取付けることにより、逆洗時に、空気導入部に向かって噴射される圧縮空気を空気噴出口から空気拡散部の周囲（リテーナ本体の半径方向）に拡散（分散）させることができる。このとき、空気噴出口から高速で噴出される圧縮空気の流れに伴って、空気導入部の周囲にある空気が空気取入口からリテーナ本体の内部に吸い込まれることにより、リテーナ本体の内部を流れる空気が増量、増速され、均一化されるので、濾布の上端側での粉塵の払い落とし効果（濾布の洗浄効果）が高まるだけでなく、濾布の下端側で粉塵の払い落とし効果が低下することを防ぎ、濾布を上端から下端まで確実に膨らませて斑なく効率的に洗浄を行うことができ、省エネルギー化を図ることができる。さらに、空気拡散部で拡散された圧縮空気と、空気取入口から吸い込まれた空気が、リテーナ本体の半径方向に均等に分散して、濾布を全周にわたって均等に膨らませることができるため、濾布の一部がリテーナ本体に強く引き付けられることがなく、リテーナ本体との摩擦による濾布の破損を低減して、濾布の寿命を改善することができる。また、空気拡散部の外周に空気取入口が形成されることにより、従来のベンチュリ管のみを介して集塵（吸引）を行うものに比べて開口面積が増大するので、ブロアの負荷を低減することができ、集塵機の運転（集塵）効率も改善され、省エネルギー性に優れる。
【００１７】
第２の発明に係るバグフィルタ用リテーナは、既存の集塵機に容易に取付けることができ、逆洗による濾布の洗浄効果を高めて濾過面積（吸引力）の低下を防ぎ、集塵効率を改善して、省エネルギー性及びメンテナンス性の向上を図ることができる。
【図面の簡単な説明】
【００１８】
【図１】本発明の一実施の形態に係るバグフィルタ用逆洗補助具の正面図である。
【図２】（Ａ）、（Ｂ）はそれぞれ同バグフィルタ用逆洗補助具の平面図及び底面図である。
【図３】同バグフィルタ用逆洗補助具を備えたバグフィルタ用リテーナの要部正断面図である。
【図４】（Ａ）は同バグフィルタ用逆洗補助具を備えたバグフィルタ用リテーナの集塵時の使用状態を示す要部正端面図であり、（ｂ）は同バグフィルタ用逆洗補助具を備えたバグフィルタ用リテーナの逆洗時の使用状態を示す要部正端面図である。
【発明を実施するための形態】
【００１９】
続いて、添付した図面を参照しつつ、本発明を具体化した実施の形態につき説明し、本発明の理解に供する。
図１、図２（Ａ）、（Ｂ）に示す本発明の一実施の形態に係るバグフィルタ用逆洗補助具１０は、図３、図４（Ａ）、（Ｂ）に示すように、バグフィルタ１１の濾布１２を内側から支持するリテーナ本体１３の上端部に取付けられる。なお、図３では濾布１２を省略している。バグフィルタ１１は、図４（Ａ）に示すように、上方からブロア（図示せず）で吸引されることにより、含塵気流に含まれる粉塵を濾布１２で分離捕集する。そして、必要に応じて、図４（Ｂ）に示すように、バグフィルタ１１の上方に配設されたノズル１５からバグフィルタ１１の下端側へ圧縮空気を噴射することにより、濾布１２の外周に付着した粉塵を払い落とす（逆洗を行う）ことができる。このとき、リテーナ本体１３の上端部にバグフィルタ用逆洗補助具１０が取付けられたバグフィルタ用リテーナ１６を用いることにより、逆洗時に濾布１２全体を確実かつ均等に膨らませて、粉塵の払い落とし効果を高め、濾布１２の破損を低減して、集塵効率及び濾布１２の寿命を改善し、省エネルギー化及び省資源化を図ることができる。
【００２０】
以下、バグフィルタ用逆洗補助具１０の詳細について説明する。
バグフィルタ用逆洗補助具１０は、図１〜図３に示すように、リテーナ本体１３の上端部に装着される装着部１８を有する。装着部１８には、リテーナ本体１３の内部を水平に仕切る仕切部１９が形成されており、この仕切部１９の上側にリテーナ本体１３と同軸上に筒状の空気導入部２０が配置される。また、装着部１８は、仕切部１９の外周を囲繞し、リテーナ本体１３に内挿される筒状部２１と、筒状部２１の上端外周側に延設されたフランジ部２２を有している。そして、空気導入部２０の上部は、図１、図３に示すように、装着部１８（フランジ部２２）の上端より上方に突出し、空気導入部２０の上部には、上方に向かって拡径した上側拡径部２４が形成され、空気導入部２０の下部には、図３に示すように、下方に向かって拡径した下側拡径部２５が形成されている。
【００２１】
また、バグフィルタ用逆洗補助具１０は、図３に示すように、空気導入部２０の下側開口部２６内に一部が配置され、下側開口部２６の中央部を遮蔽し、下側開口部２６の内側周縁との間に空気噴出口２７を形成する空気拡散部２８を有する。そして、仕切部１９には、空気拡散部２８の外周に沿って空気取入口２９が形成されている。ここで、空気拡散部２８は、下方に向かって拡径する半球状に形成され、頂部３０が空気導入部２０の下端よりも高い位置にある。また、空気噴出口２７の下方には、図１〜図３に示すように、空気拡散部２８の表面に沿って螺旋状に３枚の旋回羽根３２が取付けられている。さらに、バグフィルタ用逆洗補助具１０は、図２（Ａ）、図３に示すように、空気導入部２０の軸方向の途中（下端と上端の間）で空気導入部２０の外径よりも大径に形成された上端開口部３３を有し、周壁部３４が下方に向かって拡径し、下端側が空気取入口２９の外周に沿う円形に形成されて、仕切部１９に固定されたガイド部３５を備えている。このガイド部３５の下端外周の要所（ここでは３箇所）には固定片３６が形成されており、この固定片３６がリベットやボルト等の固定手段３７によって仕切部１９に固定されることにより装着部１８とガイド部３５が一体化されている。そして、仕切部１９には、図２（Ａ）、（Ｂ）、図３に示すように、ガイド部３５の下端部外周に沿って空気通過口３８が形成されている。
【００２２】
旋回羽根３２は空気拡散部２８に溶接されており、更に、旋回羽根３２の上端部を空気導入部２０の下端部に溶接し、旋回羽根３２が空気取入口２９を通過する位置で、旋回羽根３２とガイド部３５の下端部を溶接することにより、空気導入部２０及び空気拡散部２８をガイド部３５と一体化することができる。この場合、別途、各部を連結（固定）するための部材を取付ける必要がなく、空気抵抗の増加を防ぐことができ、組立作業も簡素化できるが、各部の固定方法は適宜、選択することができ、例えば棒状や板状の連結部材を用いて各部材間を連結してもよい。
【００２３】
本実施の形態では、空気拡散部２８の下端部を仕切部１９の下方に突出させたが、この突出量は、適宜、選択することができる。また、空気拡散部２８の曲率半径や、空気導入部２０の下端（空気噴出口２７）から仕切部１９（空気取入口２９）までの距離等によっては、空気拡散部２８の下端部を仕切部１９の下方に突出させなくてもよい。その場合、仕切部の中央部を上方に向かって膨出させ、空気拡散部を仕切部（装着部）と一体に形成することもできる。
また、本実施の形態では、仕切部の中央部に予め空気通過口の外周に沿って貫通孔を形成しておき、空気拡散部２８とガイド部３５を取付けて、貫通孔を仕切ることにより、ガイド部３５の内周側と外周側にそれぞれ空気取入口２９と空気通過口３８を形成したが、仕切部に予め空気取入口と空気通過口を形成することもできる。例えば、仕切部の中央部に空気拡散部を保持するための固定孔を設け、その外周に複数の円弧状の空気取入口と空気通過口を同心円状に形成してもよい。
バグフィルタ用逆洗補助具１０の材質としては、ステンレス等の金属が好適に用いられ、必要に応じて、防錆処理等を施すことが好ましい。
【００２４】
リテーナ本体１３は、図３に示すように、ステンレス鋼等の金属線で環状に形成された固定リング４０と、ステンレス鋼等の金属線で形成され、固定リング４０の外周側の円周上にスポット溶接等で接合された複数の縦線材４１で基本的に構成される。なお、説明の都合上、図４（Ａ）、（Ｂ）では、固定リング４０を省略しているが、固定リング４０は、リテーナ本体１３の高さ方向に所定間隔をあけて複数配置される。
装着部１８（筒状部２１）に各縦線材４１を溶接することにより、リテーナ本体１３の上端部にバグフィルタ用逆洗補助具１０を容易に装着（固定）することができ、バグフィルタ用逆洗補助具１０とリテーナ本体１３が一体化したバグフィルタ用リテーナ１６が得られる。なお、リテーナ本体１３の下端には、図４（Ａ）、（Ｂ）に示すように、底蓋４２が取付けられている。
【００２５】
濾布１２が取付けられたバグフィルタ用リテーナ１６は、図３、図４（Ａ）、（Ｂ）に示すように、仕切板（セルプレート）４３に吊り下げるようにして取付けられるが、この仕切板４３には、予め取付孔４４が形成されており、フランジ部２２を取付孔４４の周縁に係止して容易に固定することができる。
このとき、空気導入部２０の上部がフランジ部２２より上方に突出しており、上部に上側拡径部２４が形成されていることにより、ノズル１５と空気導入部２０との細かな位置合わせを行うことなく、逆洗時にノズル１５から噴射される圧縮空気を確実に空気導入部２０の内部に導くことができる。また、図３に示すように、半球状の空気拡散部２８と下側拡径部２５との間に形成される流路が、空気噴出口２７に向かって徐々に狭くなっていることにより、ノズル１５から空気導入部２０に向かって噴射される圧縮空気を、空気拡散部２８の表面に沿ってスムーズに拡散させ、空気噴出口２７から空気拡散部２８の周囲（リテーナ本体１３の半径方向）に噴出させることができるので、ノズル１５と空気拡散部２８の頂部３０との位置ずれやノズル１５（圧縮空気の噴射方向）の傾きが発生しても、その影響を受け難い。そして、空気噴出口２７から高速で噴出される圧縮空気の流れに伴って、空気導入部２０の周囲にある空気がガイド部３５の上端開口部３３から吸い込まれ、圧縮空気と共に空気取入口２９からリテーナ本体１３の内部に進入する。よって、空気取入口２９を通過する空気（圧縮空気を含む）が増量、増速され、均一化されて、空気拡散部２８の周囲（リテーナ本体１３の半径方向）に拡散（分散）されて、濾布１２の上端側での粉塵の払い落とし効果（濾布の洗浄効果）が高まる。
【００２６】
また、空気（圧縮空気を含む）が空気取入口２９を高速で通過することにより、ガイド部３５の周囲にある空気も、空気通過口３８からリテーナ本体１３の内部に吸い込まれる。その結果、リテーナ本体１３の内部を流れる空気（圧縮空気を含む）は、更に増量、増速され、リテーナ本体１３の下端まで行き渡るので、濾布１２の下端側で粉塵の払い落とし効果が低下することを防ぎ、濾布１２を上端から下端まで確実に膨らませて斑なく効率的に洗浄を行うことができる。また、空気取入口２９を通過する空気（圧縮空気を含む）及び空気通過口３８を通過する空気の一部は旋回羽根３２によって旋回を与えられることにより、リテーナ本体１３の半径方向（外周側）に押し付けられるようにしてリテーナ本体１３の下端まで移動するので、濾布１２の下端側でも確実に粉塵を払い落とすことができ、リテーナ本体の長尺化にも対応できる。本実施の形態では、リテーナ本体１３の上端から下端に向かって左旋回となるように旋回羽根を取付けたが、旋回方向は右旋回でもよい。また、旋回羽根の数、配置間隔、寸法（長さ、幅等）及び形状（角度、曲率等）は、適宜、選択することができる。なお、ノズル１５から噴射される圧縮空気の速度や、リテーナ本体の長さ等によっては、旋回羽根、ガイド部及び空気通過口のいずれか１以上を省略することもできる。
【００２７】
このように、バグフィルタ用逆洗補助具１０では、ノズル１５から噴射される圧縮空気に加え、周囲の空気を利用することにより、粉塵の払い落とし効果（払い落としエネルギー）を高めることができるので、ノズル１５から圧縮空気を噴射する際の噴射圧力、噴射時間、噴射間隔、又は噴射回数を減らすことができ、省エネルギー化を図ることができる。また、ノズル１５の先端から空気拡散部２８の頂部３０までの距離が、粉塵の払い落とし効果に及ぼす影響も少なくなるので、例えばノズル１５の先端から頂部３０までの距離を１００〜５００ｍｍ程度の広い範囲で選択することができ、改造（ノズル１５の位置変更）等の手間をかけることなく既存の集塵機に適用することが可能となり、汎用性、設置作業性及びメンテナンス性にも優れる。なお、空気導入部２０の上端の開口を塞がない限りにおいて、ノズル１５をさらに空気拡散部２８に近付けてもよい。このとき、ノズル１５を空気導入部２０の内部に挿通してもよく、ノズル１５の先端を空気拡散部２８の頂部３０から２０ｍｍ程度の距離まで近付けることもできる。
【００２８】
以上、本発明の実施の形態を説明したが、本発明は、上記した形態に限定されるものでなく、特許請求の範囲に記載されている事項の範囲内で考えられるその他の実施の形態や変形例も含むものであり、要旨を逸脱しない条件の変更等は全て本発明の適用範囲である。
例えば、空気拡散部の形状は、半球状に限らず、円錐状に形成してもよい。また、本実施の形態では、空気拡散部を半球状として下端側を開口状態としたが、下端側を閉塞部で閉塞してもよい。閉塞部は平面状でもよいが、逆円錐状又は空気拡散部と上下対称な半球状に形成して、濾過時にブロアで吸引される空気がリテーナ本体の内部を下から上に向かってスムーズに流れるようにしてもよい。さらに、ガイド部の周壁部は下方に向かって拡径していればよく、周壁部の上端と下端の間が円弧状に湾曲しているもの（周壁部が球面の一部をなすもの）に限らず、直線状（周壁部が円錐の一部をなすもの）でもよい。
【符号の説明】
【００２９】
１０：バグフィルタ用逆洗補助具、１１：バグフィルタ、１２：濾布、１３：リテーナ本体、１５：ノズル、１６：バグフィルタ用リテーナ、１８：装着部、１９：仕切部、２０：空気導入部、２１：筒状部、２２：フランジ部、２４：上側拡径部、２５：下側拡径部、２６：下側開口部、２７：空気噴出口、２８：空気拡散部、２９：空気取入口、３０：頂部、３２：旋回羽根、３３：上端開口部、３４：周壁部、３５：ガイド部、３６：固定片、３７：固定手段、３８：空気通過口、４０：固定リング、４１：縦線材、４２：底蓋、４３：仕切板（セルプレート）、４４：取付孔
【図１】
0006850840.tif 000002
【図２】
0006850840.tif 000003
【図３】
0006850840.tif 000004
【図４】
0006850840.tif 000005